(57)【特許請求の範囲】
【請求項１】
防水下地の上に沿って設けられる防水シートを、前記防水下地に固定する円板状の防水シート固定具であって、
前記防水下地に固定自在な第１部材と、
前記防水シートに固定自在な第２部材と、
前記第１部材に備えた第１係止部と前記第２部材に備えた第２係止部とを係合させることで前記第１部材と前記第２部材とを相対移動自在に連結する連結部と、
前記第１部材と前記第２部材との相対位置を初期連結状態に付勢する復帰機構とを備え、
前記復帰機構は、前記連結部より外周側に配置してある防水シート固定具。
【請求項２】
前記第２部材は、平面視での中央部側を前記連結部で連結され、その外周側に、前記防水下地表面の垂線方向に膨出させた膨出部を備え、前記膨出部の上面に前記防水シートとの接着部を備え、前記膨出部の下方空間に前記復帰機構を備えている請求項１に記載の防水シート固定具。
【請求項３】
前記復帰機構は、前記膨出部の下面と前記第１部材とにわたって設けられたバネ部材である請求項２に記載の防水シート固定具。
【請求項４】
前記復帰機構は、板面を前記防水下地表面の垂線方向に向けた状態で、周方向に沿う環状に形成された板バネで構成してある請求項１〜３の何れか１項に記載の防水シート固定具。
【発明の詳細な説明】
【技術分野】
【０００１】
防水下地への防水シートの固定方法としては、防水シートを全面接着する方法に限るものではなく、他の方法の一つとしては、間隔をあけた複数箇所に固定部を分散させることで、防水下地の伸縮等による悪影響が防水シートに及ぶのを緩和できるようにした方法〔所謂「絶縁工法」（機械的固定方法）〕があり、本発明は、この「絶縁工法」に使用できる防水シート固定具に関するものであり、更に詳しくは、防水下地の上に沿って設けられる防水シートを、前記防水下地に固定する防水シート固定具に関する。
【背景技術】
【０００２】
従来、この種の防水シート固定具としては、図８に示すように、金属薄板素材をプレス成形によって立体的な円板形状に成形して構成してあるものがあった（例えば、特許文献１参照）。
【０００３】
この防水シート固定具Ｌは、円板の中央部分２０と外周部分２２とが防水下地１側に位置し、それらの間に位置する平面部分２１は防水下地１から離間する方向に膨出した形状に構成してあり、中央部分２０には、固定ネジ部材３を挿通するネジ挿通孔２０ａが設けられ、平面部分２１は、防水シート２に対する接着面２１ａとして構成され、外周部分２２は、防水下地１に対する接地部２２ａとして構成されている。
【０００４】
防水シート固定具Ｌの防水下地１への取り付けは、次の要領で行うものである。防水下地１上の所定位置に防水シート固定具Ｌを載置して、接地部２２ａが防水下地１の上面に当接した状態で、引き続き、ネジ挿通孔２０ａに固定ネジ部材３を挿通して、防水下地１に対してねじ込む。この結果、接地部２２ａと中央部分２０とが防水下地１側に押し付けられた状態で固定される。
その後、防水シート２を防水シート固定具Ｌの上に被せて、接着面２１ａにおいて防水シート２を防水シート固定具Ｌに接着することで、防水シート２を防水下地１に固定することができるものである。
【先行技術文献】
【特許文献】
【０００５】
【特許文献１】特開２００６−１８３３９４号公報（図１、図２、図５）
【発明の概要】
【発明が解決しようとする課題】
【０００６】
上述した従来の防水シート固定具によれば、防水シートの局部を接着して防水下地に固定するものであるから、接着されていない部分に関しては防水下地上で上下に多少の移動が許容されている。
また、防水シートの上面側は、外環境に曝されているから、防水シートの上面近傍部分に沿って風が吹くこともあり、それに伴って、防水シートの上面側に発生する負圧領域の影響で、防水シートに揚力が作用することがある。
【０００７】
このように、防水シートに対して揚力が作用すると、防水シートは、接着されていない部分が上下方向や横方向に移動するバタつき（フラッタリング）を生じ、その動きは、あたかも水面の波のごとく、風上から風下に向かって移動していく。その際、防水シートから防水シート固定具に伝わる力によって、固定ネジ部材には、振動や回転力等が繰り返して作用する虞がある。
【０００８】
その結果、防水シート固定具を固定している固定ネジ部材は、上述の振動や回転力の作用によって緩むことがあり、確実な固定状態を維持できなくなる可能性がある。
【０００９】
この問題点を解消するには、例えば、防水シート固定具のネジ層通孔を、固定ネジ部材の軸部外径より大きめに設定したルーズホールとして形成し、防水シート固定具を、ルーズホールの遊び寸法の範囲内で、固定ネジ部材に対して径方向に移動できたり、固定ネジ部材周りに回転できるように支持することが考えられる。
これによって、防水シートから防水シート固定具に伝わる前記振動や回転力が、固定ネジ部材に伝わり難くなる。
【００１０】
しかし、その反面、防水下地に対して防水シート固定具が相対移動できるようになると、防水下地上の多数の防水シート固定具設置箇所の内の複数箇所において、風の影響によって防水シート固定具が変位したままになる事態が生じる。それに伴って、防水シート固定具によって支持されている防水シートは、ある部分では、強く引っ張られた状態になり、別の部分では、弛んだ状態になり、防水シートそのものに対する応力集中や、シワが生じたままになる虞がある。
その結果、防水シートが損傷・劣化し易くなり、耐久性が低下する問題点がある。
【００１１】
従って、本発明の目的は、上記問題点を解消し、風が吹いても固定ネジ部材が緩み難く、より確実な固定状態を維持できながら、防水シートの耐久性の低下防止を図れる防水シート固定具を提供するところにある。
【課題を解決するための手段】
【００１２】
本発明の特徴は、防水下地の上に沿って設けられる防水シートを、前記防水下地に固定する円板状の防水シート固定具であって、前記防水下地に固定自在な第１部材と、前記防水シートに固定自在な第２部材と、前記第１部材に備えた第１係止部と前記第２部材に備えた第２係止部とを係合させることで前記第１部材と前記第２部材とを相対移動自在に連結する連結部と、前記第１部材と前記第２部材との相対位置を初期連結状態に付勢する復帰機構とを備え、前記復帰機構は、前記連結部より外周側に配置してあるところにある。
【００１３】
本発明によれば、連結部によって第１部材と第２部材とは相対移動自在に連結されているから、第１部材を防水下地に固定すると共に、第２部材に防水シートを固定した状態において、防水下地に対して防水シートを移動自在に支持することができる。
従って、風圧等の影響で防水シートから防水シート固定具に伝わる前記振動や回転力を、第１部材と第２部材との相対移動によって緩衝することができ、第１部材を防水下地に固定している例えば固定ネジ部材が緩むのを防止できるようになる。
【００１４】
また、復帰機構を備えているから、防水下地に固定した第１部材に対して、第２部材が移動しても、両者の初期連結状態に戻すように付勢力を作用させることができる。従って、第２部材に固定されている防水シートも、防水下地上に設置した初期設置状態に戻すことができ、防水シート全体として局部に圧縮力や引張力が残ったままになったり、又は、シワがよったままになることを防止できるようになる。
その結果、風が吹いても、防水シートを防水下地に確実な固定状態を維持した状態に固定でき、且つ、防水シートの耐久性の低下を防止できるようになる。
【００１５】
また、当該防水シート固定具は、防水下地と防水シートとの間に設置される関係上、防水シートの表面に大きな段差を作らないように厚み寸法は小さい方が好ましい。一方、復帰機構は、第１部材と第２部材とを初期連結状態に復帰させるには、大きな付勢力を発揮できるに越したことはなく、その為には、復帰機構に使用する部材断面積を十分に確保することが好ましい。しかし、復帰機構の部材断面積を増加させれば、防水シート固定具の厚み寸法も増加し易い虞がある。本発明によれば、これら相反する必要条件を両方とも満たすことが可能となる。
【００１６】
即ち、復帰機構は、防水下地表面に沿う方向における前記連結部より外周側に配置してあることで、複雑な構造となり易い連結部を避けて、空間の確保し易い個所に復帰機構を位置させることができるようになる。
従って、例えば、復帰機構を構成する部材の断面積を大きくして第１部材と第２部材との相対位置を初期連結状態に復帰させる復帰性能を高めることができながら、防水シート固定具の全体厚みは薄く保つことが可能となる。
【００１７】
また、第１部材と第２部材とに復帰機構を取り付ける際にも、前記連結部より外周側の広い空間で取付作業を実施できるから、組立作業効率の向上を図れるようになる。
【００１８】
尚、上述の第１部材と第２部材との相対移動とは、例えば、防水下地表面に沿う方向における第１部材と第２部材との相対移動や、防水下地表面の垂線周りにおける第１部材と第２部材との相対回転や、防水下地表面の垂線に沿う方向における第１部材と第２部材との相対移動等、それらの内の少なくとも一種類の相対移動を意味する。
【００１９】
本発明においては、前記第２部材は、平面視での中央部側を前記連結部で連結され、その外周側に、前記防水下地表面の垂線方向に膨出させた膨出部を備え、前記膨出部の上面に前記防水シートとの接着部を備え、前記膨出部の下方空間に前記復帰機構を備えていると好適である。
【００２０】
本構成によれば、膨出部の上面に接着部を備えてあるから、当該防水シート固定具の上に配置した防水シートとの密着性がよく、例えば、防水シートを上から押えて第２部材に接着させるような場合に、より確実に一体化することができる。
また、膨出部の下方空間を有効に利用して復帰機構を納めることができ、薄型設計が可能となる。
【００２１】
本発明においては、前記復帰機構は、前記膨出部の下面と前記第１部材とにわたって設けられたバネ部材であると好適である。
【００２２】
本構成によれば、複雑な機構を使用せずに、構造の簡単なバネ部材（例えば、板バネやコイルばね等）で復帰機構を構成でき、製作費や、材料コストを抑えて、防水シート固定具としての経済性を向上させることができる。
【００２３】
本発明においては、前記復帰機構は、板面を前記防水下地表面の垂線方向に向けた状態で、周方向に沿う環状に形成された板バネで構成してあると好適である。
【００２４】
本構成によれば、環状にした板バネ全体の厚み寸法は大きくしなくても、板バネの幅寸法の大小によって断面積を調整でき、バネ剛性の大小を広範囲に調整することが可能となる。
従って、防水シート固定具そのものの厚みを大きくしなくても、復帰機構の性能を、目的の復帰力を発揮できるように構成することができる。
【図面の簡単な説明】
【００２５】
【図１】防水シート固定具の設置状況を示す一部切欠斜視図である。
【図２】防水シート固定具の設置状況を示す断面図である。
【図３】防水シート固定具を示す分解斜視図である。
【図４】防水シート固定具の作用状況を示す断面図である。
【図５】別実施形態の防水シート固定具の設置状況を示す断面図である。
【図６】別実施形態の防水シート固定具の設置状況を示す断面図である。
【図７】別実施形態の防水シート固定具を示す分解斜視図である。
【図８】従来例の防水シート固定具の設置状況を示す断面図である。
【発明を実施するための形態】
【００２６】
以下に本発明の実施の形態を図面に基づいて説明する。尚、図面において従来例と同一の符号で表示した部分は、同一又は相当の部分を示している。
【００２７】
図１は、本発明の防水シート固定具の一つの実施形態品（以後、単にシート固定具という）Ｋを使用して、屋根下地（防水下地の一例）１の上に沿って設けられた防水シート２を固定している状況を示している。
【００２８】
屋根下地１は、当該実施形態においては、基層は鉄筋コンクリートによって構成され、表層に断熱パネル１ａからなる断熱層が備えられている場合を例に挙げて説明している。
尚、当該シート固定具Ｋの設置対象は、表層に断熱パネル１ａを備えた屋根下地１のみに限るものではない。
【００２９】
防水シート２は、例えば、塩化ビニル系等の合成樹脂製シートで構成されている。
【００３０】
シート固定具Ｋは、後述する３部材を備えて構成され、主体部分は金属製で、全体外形形状が略円板状になるように形成してある。
また、屋根下地１へのシート固定具Ｋの配置は、横間隔をあけて点在配置としてある。
各シート固定具Ｋは、それぞれ、円形の中央部に挿通させた固定部材３で屋根下地１に固定されている。
また、シート固定具Ｋの上面には、防水シート２の下面が接着してある。
【００３１】
固定部材３は、図２に示すように、屋根下地１に螺着させるネジ部材３Ａと、ネジ部材３Ａとシート固定具Ｋとにわたる状態に設けられる筒部材３Ｂとを備えて構成されている。
【００３２】
筒部材３Ｂは、合成樹脂製の部材で構成してあり、上端部の外周部に鍔状部３Ｂａを備え、筒底部には、筒内空部を挿通させたネジ部材３Ａの拡径頭部３Ａａを受けて支持する座繰り部３Ｂｂが備えてある。
従って、屋根下地１上に載置したシート固定具Ｋの中央部に筒部材３Ｂを挿通させて断熱パネル１ａの厚み内に下降させ、筒部材３Ｂの筒内空部にネジ部材３Ａを挿入して屋根下地１に螺着させることで、鍔状部３Ｂａが、シート固定具Ｋの中央筒部４Ａ（後述）の上に位置し、シート固定具Ｋを抜け止め状態に支持することができる。
【００３３】
筒部材３Ｂを合成樹脂製の部材で構成することで、シート固定具Ｋの設置箇所における防水シート２の上面側と屋根下地１側との熱伝達（ヒートパス）の抑制を図り、断熱パネル１ａの断熱効果と合わせて建物内の空調効率の低下防止を図ることが可能となっている。
【００３４】
シート固定具Ｋは、図２、図３に示すように、屋根下地１に固定自在な第１部材４と、防水シート２に固定自在な第２部材５とを、連結部Ｊを介して相対移動自在に連結すると共に、第１部材４と第２部材との間に板バネ６（復帰機構の一例）を介在させて一体に組み付け、第１部材４と第２部材との相対位置を板バネ６によって初期連結状態に復帰できるようにて構成してある。
【００３５】
第１部材４は、二つの部材で構成されている。つまり、シート固定具Ｋの平面視での中央部で固定部材３の挿通部を構成する中央筒部材４Ａと、その中央筒部材４Ａの下端部に外嵌する円板状のベース部材４Ｂとを備えて構成してある。
【００３６】
中央筒部材４Ａは、上端部で外周側に張り出した鍔状の張出部（第１係止部の一例）７を備え、上下中間部には、固定部材３の鍔状部３Ｂａを全周にわたって支持自在な座繰り部８を備え、下端部には、ベース部材４Ｂを外嵌状態に装着自在な取付部９を備えて構成してある。
また、張出部７の外周部には、下方側に折れ曲がった突条部７ａが設けてある。この張出部７の下方に、後述する第２部材５の内周部が重なることで、互いは相対移動自在に連結される。その際、突状部７ａによって相対移動の範囲を規制することが可能となる。
従って、張出部７は、第１部材４と第２部材５との連結部Ｊの一部を構成している。
【００３７】
ベース部材４Ｂは、円板中央部に、中央筒部材４Ａの取付部９が内嵌自在な取付孔１０が形成してあり、この取付孔１０に取付部９を嵌合させることで、中央筒部材４Ａとベース部材４Ｂとを一体化することができる。尚、図には示していないが、取付部９を取付孔１０に挿通させて、貫通した先端縁部を外方へ拡径させておけば、外れ止め効果を期待でき、より一体性を維持し易い。
また、円板部分には、放射線に沿った複数のリブ１１が、周方向に間隔をあけて形成してあり、ベース部材４Ｂの剛性を高めている。周方向に隣接する各リブ１１の間には、前記板バネ６を支持する支持部１２が設けてある。
【００３８】
支持部１２には、板バネ６を下方で支持する載置部１２ａと、板バネ６の外周側を支持して横方向に位置ずれするのを規制する規制部１２ｂとを備えている。支持部１２そのものは、円板部分の切り起こしによって形成されている。載置部１２ａの高さ寸法は、上述のリブ１１の高さ寸法と同じになるように設定されている。
尚、第１部材４における径方向での支持部１２の位置は、前記連結部Ｊより外方側に寄った位置に設定してある（図２参照）。
【００３９】
第２部材５は、外径寸法が第１部材４と同じ寸法の円板状に形成してあり、中央部分には、中央筒部材４Ａの座繰り部８の部分の外径寸法より大径で、且つ、張出部７の外径寸法より小径の挿通孔５ａが形成してある。
また、挿通孔５ａの周縁部は上方側に折れ曲がった突状部５ｂが設けてある。
従って、この挿通孔５ａの中に、中央筒部材４Ａが貫通する状態に第２部材５を配置することで、第１部材４と第２部材５とは、遊嵌状態に連結される。
【００４０】
この連結状態で、中央筒部材４Ａの張出部７が上に重なる第２部材５の部分を被重なり部（第２係止部の一例）５Ａという。
張出部７と被重なり部５Ａとは、上下に重なった状態で相対移動が許容される。また、横方向における相対移動においては、張出部の突状部７ａと、被重なり部５Ａの突状部５ｂとが径方向に当接することで、それ以上の移動は規制される。
前記張出部７と被重なり部５Ａとで前記連結部Ｊが構成されている。
【００４１】
第２部材５における前記被重なり部５Ａと外縁部５Ｃとの間の範囲は、一段高い平坦面となるように膨出形成された膨出部５Ｂとして構成してある。この膨出部５Ｂの上面に、ホットメルト接着層（接着部の一例）１３が設けてあり、このホットメルト接着層１３によって防水シート２を、接着固定することができる。因みに、ホットメルト接着層１３は、例えば、ポリエステル系、エチレン酢酸ビニル系、合成ゴム系、オレフィン系等の材質のものを採用することができ、融点は７０〜１６０℃のものが広く普及している。
【００４２】
外縁部５Ｃは、膨出部５Ｂから外径側に下り方向に傾斜した傾斜部５Ｃａと、傾斜部５Ｃａの下端部から横方向に延出した延出部５Ｃｂとで構成されている。
第２部材５は、図２に示すような設置状態において、延出部５Ｃｂが、ベース部材４Ｂの外周縁部上に重なる状態に寸法設定されている。
【００４３】
板バネ６は、板面６ａを屋根下地１表面の垂線方向に向けた状態で、周方向に沿う螺旋状に形成してあり、第２部材５の膨出部５Ｂの下方空間Ｖに設置されている。
板バネ６の螺旋形状は、下方側ほど螺旋径が大径となるように設定されている。
板バネ６の途中の複数個所では、厚み方向にジグザグ状の屈曲部６ｂを設けてあり（図３参照）、上下に重なる板バネ部間に隙間を確保できるように構成されている。この隙間によって、板バネ６は、上下方向の何れにも弾性変形が可能となっている。
また、板バネ６の上端部は、第２部材５の膨出部５Ｂの下面における内径側部分に固定してあると共に、下端部は、ベース部材４Ｂの載置部１２ａの内の一つに固定してある。
【００４４】
当該シート固定具Ｋは、初期状態においては、第１部材４と第２部材５とが同一縦軸芯Ｘ上に位置しており、互いの相対移動は、図４の矢印で示すように、例えば、横方向、縦方向、軸芯周り方向の少なくとも一種類の相対移動に追従することができる。そして、板バネ６は、相対移動した第１部材４と第２部材５とを、初期状態に弾性的に付勢して復帰させることができる。
【００４５】
屋根下地１へのシート固定具Ｋ、防水シート２の固定については、次の手順によって実施することができる。
【００４６】
［１］屋根下地１の上の所定箇所に、シート固定具Ｋをそれぞれ固定する。
シート固定具Ｋの固定は、中央筒部材４Ｂの筒内空部に挿通した固定部材３を、屋根下地１にねじ込むことで行う。
［２］各シート固定具Ｋの上から防水シート２を被せ、防水シート２の上方から、電磁誘導加熱装置等によってシート固定具Ｋを加熱することでホットメルト接着層１３を溶かして接着固定する。
【００４７】
以上のような防水シート固定状態においては、例えば、風の揚力で防水シート２が持ち上げられて波立つような場合でも、防水シート２から防水シート固定具Ｋに伝わる振動や横移動力や回転力や揚力等を、第１部材４と第２部材５との相対移動によって緩衝することができ、防水シート２を無理なく屋根下地１に支持できながら、固定部材３が緩むのを防止できるようになる。
【００４８】
また、屋根下地１に固定した第１部材４に対して、第２部材５が移動しても、両者の初期連結状態に戻すように板バネ６が作用し、第２部材５に固定されている防水シート２も、屋根下地１上に設置した初期設置状態に戻すことができ、防水シート２全体として局部に圧縮力や引張力が残ったままになったり、シワがよったままになることを防止できるようになる。
【００４９】
また、板バネ６は、連結部Ｊより径方向での外側の位置で、且つ、第２部材の膨出部５Ｂの下方空間Ｖに配置してあるから、シート固定具Ｋ全体とした厚みを増加せなくても、板バネ６として十分な付勢力を発揮できる部材断面を確保することが可能となる。
即ち、シート固定具Ｋの薄型設計を叶えながら、第１部材４と第２部材５との相対位置を初期連結状態に付勢する復帰機能を充分に発揮することが可能となる。
【００５０】
その結果、風が吹いても、防水シート２を屋根下地１に確実な固定状態を維持した状態に固定でき、且つ、防水シート２の耐久性の低下を防止できるようになる。
【００５１】
〔別実施形態〕
以下に他の実施の形態を説明する。
【００５２】
〈１〉  防水下地１は、先の実施形態で説明した屋根下地に限るものではなく、例えば、傾斜屋根等であってもよく、更には、防水下地１の表面に断熱パネル１ａを設けてあるものに限るものではない。
また、防水下地１の構造は、鉄筋コンクリートをはじめ、例えば、木造や、鉄骨、折板、デッキプレート等、特に限定されるものではない。
【００５３】
〈２〉  防水シート２は、先の実施形態で説明した塩化ビニル系等の合成樹脂製シート材に限るものではなく、公知の他の材料を使用したものであってもよい。
【００５４】
〈３〉  接着部１３は、先の実施形態で説明したホットメルト接着層を設ける構成に限るものではなく、公知の他の接着材を設ける構成であってもよい。
【００５５】
〈４〉  復帰機構６は、先の実施形態で説明した板バネによる構成に限らず、他のバネ部材（例えば、コイルスプリング等）で構成することも可能である。
また、復帰機構６を板バネで構成する場合であっても、その幅寸法や、長さ寸法や、厚み寸法や、螺旋巻き数や、変形特性等は、適宜設定することができる。
【００５６】
〈５〉  防水シート固定具Ｋを防水下地１へ固定する固定部材３は、先の実施形態で説明したようなネジ部材３Ａと筒部材３Ｂとの２部材から構成したものに限らず、例えば、ネジ部材３Ａのみで構成してあってもよい。
固定部材３としてネジ部材３Ａのみで構成した防水シート固定具Ｋの一例としては、図５に示すものが挙げられる。この実施形態においては、表面に断熱パネル１ａを設けてない防水下地１に防水シート固定具Ｋが設置してある例を示している。
この防水シート固定具Ｋは、第１部材４の中央筒部材４Ａの内周面に、ネジ部材３Ａの拡径頭部３Ａａが当接する状態で防水下地１に固定されている。
また、中央筒部材４Ａの張出部７や、第２部材５の被重なり部５Ａには、先の実施形態で説明した突状部７ａ，５ｂは設けられていない。
【００５７】
張出部７の外径寸法は、被重なり部５Ａの内径寸法より大きく設定してあり、両者の相対移動を許容すると共に、両者の係止状態については解除されないように構成されている。
また、板バネ６は、その上端部を、第２部材５の膨出部５Ｂにおける径方向中間部に固定してある。下端部は、先の実施形態と同様に、ベース部材４Ｂに固定してある。
【００５８】
〈６〉  防水シート固定具Ｋの他の実施形態としては、図６、図７に示すものが挙げられる。この実施形態の防水シート固定具Ｋは、固定部材３と第１部材４とに主たる変更が加えられているから、変更箇所を主に説明する。ここに触れない構成に関しては、先の実施形態と同様である。
【００５９】
この実施形態においては、防水下地１の表面に断熱パネル１ａが設けられていな場合を想定しており、固定部材３は、断熱パネル１ａの厚みに相当する長さが短く形成されている。そして、固定部材３の筒部材３Ｂの下面は、防水下地１に沿う平面形状に形成されている。
【００６０】
第１部材４は、主に、ベース部材４Ｂに変更が加えられている。
ベース部材４Ｂには、放射線に沿った複数のリブ１１が、周方向に間隔をあけて形成してある。また、ベース部材４Ｂの中央に形成された取付孔１０の周り部分は、ベース部材４Ｂの外周部より高くなった環状平面部１４として構成されている。この環状平面部１４は、各リブ１１の上面と同じ高さとなるように形成してあり、各リブ１１の端部が連続して繋がるように構成されている。従って、ベース部材４Ｂの断面二次モーメントが大きくなり、更に剛性が高まっている。
【００６１】
また、各リブ１１の内、周方向に一本飛ばしのリブ１１については、リブ１１の長手方向での中間部を、板バネ６の幅寸法に相当する範囲で切り欠いてある。そして、この切欠き部１５に面するリブ箇所１１ａは、リブ高さ寸法を他の部分より高く設定してある。
従って、切欠き部１５に板バネ６を内嵌状態に位置させることで、切欠き部１５に面するリブ箇所１１ａが板バネ６の縁部に当接し、横方向にずれるのを防止できる。よって、切欠き部１５と、それに面するリブ箇所１１ａとで支持部１２が構成される。
このように、リブ１１の一部を支持部１２として兼用化でき、製作手間を軽減することができる。
【００６２】
また、第１部材４は、ベース部材４Ｂと中央筒部材４Ａとの連結は、ベース部材４Ｂの取付孔１０に、中央筒部材４Ａの取付部９の先端部を貫通させた状態で、その取付部９の先端部を外側へ拡径させて係止してある。従って、外れ止め効果を発揮でき、第１部材４の一体性がより向上している。
【００６３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００６４】
当該防水シート固定具は、防水シートの新設に限らず、改修工事にも利用することができる。
【符号の説明】
【００６５】
１      屋根下地（防水下地の一例）
２      防水シート
４      第１部材
５      第２部材
５Ａ    被重なり部（第２係止部の一例）
５Ｂ    膨出部
６      板バネ（復帰機構の一例）
６ａ    板面
７      張出部（第１係止部の一例）
１３    ホットメルト接着層（接着部の一例）
Ｊ      連結部
Ｖ      下方空間
【図１】
0006544954.tif 000002
【図２】
0006544954.tif 000003
【図３】
0006544954.tif 000004
【図４】
0006544954.tif 000005
【図５】
0006544954.tif 000006
【図６】
0006544954.tif 000007
【図７】
0006544954.tif 000008
【図８】
0006544954.tif 000009